(57)【要約】【課題】尿漏れ対策を施して、前身頃が嵩張らず、通気性がよく着心地を改善する。【解決手段】パンツ１は、左右両側で互いに縫合される前身頃２及び後身頃３と、前身頃２及び後身頃３の上端に環状に縫い付けられたゴムバンド４と、前身頃２の内側に上端縁と下端縁とが縫合されて取り付けられた当て布５とで構成される。当て布５は、上下縫合部間において、縦方向の寸法が前身頃２の縦方向の寸法よりも小さく形成され、これにより前身頃２と当て布５との間に空間７を形成する。尿漏れが生じて尿が当て布５に浸みても、空間７により当て布５の尿が前身頃３に染み移らず、空間７によって尿の乾燥が促されて濡れ感触や臭いが抑制される。従来の尿吸収体を用いることなく尿漏れ対策を行うので、尿吸収体に表裏クロッチ布が密着して前身頃の周辺部が嵩張る不都合を防止でき、また、熱のこもりや蒸れを防ぐことができて良好な着心地が得られる。【選択図】図１
2010018921.tif 000002
【特許請求の範囲】
【請求項１】
前身頃の左右の中央部に上端と下端が縫合されて、これら上下の縫合部間の長さが、前身頃のそれよりも短い当て布を備えることを特徴とするパンツ。
【請求項２】
請求項１に記載のパンツにおいて、
前身頃が左右一対の前身頃片で形成され、当て布の下端が、一対の前身頃片の互いに接続される部分の下端に縫合されていることを特徴とするパンツ。
【請求項３】
請求項１に記載のパンツにおいて、
前身頃が左右一対の前身頃片で形成され、
前身頃の中央部の下端と、後身頃の中央部の下端との間に股部片を備え、
前身頃の中央部の下端と股部の前端、および当て布の下端とが股部片の左右方向中央部に入り込んで縫合されていることを特徴とするパンツ。
【請求項４】
請求項１〜３のいずれか１項に記載のパンツにおいて、
当て布が左右方向の中央部に局部に対応して外側へ膨らませる立体縫合部を有し、前身頃が左右方向の中央部に局部に対応して外側に膨らませる立体縫合部を有していることを特徴とするパンツ。
【請求項５】
請求項１〜４のいずれか１項に記載のパンツにおいて、
前身頃および後身頃は、布帛地よりなり、当て布は、天竺織、フライス、スムースなどの編み生地よりなることを特徴とするパンツ。
【請求項６】
請求項１〜５のいずれか１項に記載のパンツにおいて、
当て布が、縦方向の伸縮性よりも横方向の伸縮性が大きい生地を用いて形成されていることを特徴とするパンツ。
【請求項７】
請求項１に記載のパンツにおいて、
当て布が、抗菌、消臭、吸水、速乾処理の少なくとも１つが施されていることを特徴とするパンツ。
【請求項８】
請求項１又は２に記載のパンツにおいて、
裾口の縁が、幅方向の中央から両側に向かって上方に傾斜する最大腰部までの切れ上り形状となっていることを特徴とするパンツ。
【発明の詳細な説明】
【技術分野】
【０００１】
この発明はパンツに関し、より具体的には尿漏れ対策を施したパンツに関する。
【背景技術】
【０００２】
従来より、特に高年者における排尿障害や尿失禁による尿漏れの対策には、大人用おむつが用いられているが、最近、高年者に限らず、中年者や若年者における少量の尿漏れ対策の必要性が認識され始めている。少量の尿漏れは、尿意の極度の我慢や冷房の影響、或いは残尿等によるものであり、職場や学校等での一般生活において生じる。したがって、尿の漏れ量は比較的少なくても、ズボンへの染みや周囲への臭いの心配により、精神的ストレスを招き易いという問題がある。このような少量の尿漏れ対策として、尿吸収体を有するパンツが提案されている。
【０００３】
この種のパンツとしては、前身頃にクロッチポケットを形成し、このクロッチポケットに尿吸収体を収容するように構成されたボクサータイプのパンツがある（例えば、特許文献１参照）。クロッチポケットは、表クロッチ布と裏クロッチ布を上端縁と下端縁で縫合して形成されている。クロッチポケットの左右両側に表開き口と裏開き口を夫々形成し、この開き口を通して、吸水性ポリマ等を含んだパッド型の尿吸収体を着脱するようになっている。表クロッチ布と裏クロッチ布は、通常使用される同種の布で、互いに同じ形状と寸法に形成されている。
【特許文献１】特許第４０１５６７５号明細書
【発明の開示】
【発明が解決しようとする課題】
【０００４】
しかしながら、上記従来のパンツは、表クロッチ布と裏クロッチ布が互いに同じ形状と寸法に形成され、これらのクロッチ布の間に尿吸収体を装着するので、各クロッチ布が尿吸収体の両面で密着状態になり易い。各クロッチ布が尿吸収体と密着すると、前身頃の周辺部が保形されて嵩張るという問題がある。また、表クロッチ布と裏クロッチ布が通常使用される同種の布で形成されるうえに、クロッチポケットに尿吸収体が装着されるので、前身頃の周辺部の通気性が低下しやすく、特に夏場に熱のこもりや蒸れを招き、着心地の悪化を招くという問題がある。
【０００５】
そこで、本発明の課題は、尿漏れ対策を施しつつ、前身頃の嵩張りを少なくでき、また、通気性を向上できて着心地を改善できるパンツを提供することにある。
【課題を解決するための手段】
【０００６】
上記課題を解決するため、請求項１の発明のパンツは、前身頃の左右の中央部に上端と下端が縫合されて、これら上下の縫合部間の長さが、前身頃のそれよりも短い当て布を備えることを特徴としている。
【０００７】
上記構成によれば、パンツの前身頃の内側に上下端を縫合された当て布が、この上下の縫合部間で前身頃のそれよりも短いことにより、上下の縫合部間で前身頃に当て布からの外側への浮代を与え、着用されたときの双方の立体化で当て布が上下の縫合部間で局部に沿おうとするのに対し、前身頃は前記浮代分当て布から外側に浮いて双方間に空間を形成する。したがって、少量の尿漏れが生じても当て布で受け止めてその受け止めた尿が前身頃に染み移るのを防止できる。また、当て布に浸みた尿の早期乾燥を促すことができる。さらに、当て布は前身頃の左右の中央部に当てがうだけであるため、前身頃の左右中央部に設けることのある排尿用開口を通じての排尿作業を特に損なうことはないし、裾口の縁が、幅方向の中央から両側に向かって上方に傾斜する最大腰部までの切れ上り形状とするときは、切れ上がり形状による前身頃下部での当て布程度に幅狭部とすることができるのを利用して排尿作業ができる。このように、従来のような尿吸収体を用いずに、当て布と前身頃の間に空間を形成することで尿漏れ対策を行うので、前身頃の周辺部が嵩張る不都合を防止できる。また、当て布と前身頃の間の空間により通気性が高まるので、夏場においても熱のこもりや蒸れを防ぐことができ、その結果、良好な着心地が得られる。
【０００８】
なお、本明細書において、上下、前後及び左右は、パンツの着用者から見た方向を示すものとする。
【０００９】
請求項２の発明のパンツは、請求項１に記載のパンツにおいて、前身頃が左右一対の前身頃片で形成され、当て布の下端が、一対の前身頃片の互いに接続される部分の下端に縫合されていることを特徴としている。
【００１０】
請求項２のパンツによれば、前身頃が一対の前身頃片で形成される比較的簡単な構成で立体化と必要に応じた排尿用開口の形成に便利なパンツにおいて、尿漏れ対策を行いつつ、前身頃の周辺部が嵩張る不都合を防止でき、また、熱のこもりや蒸れを防ぐことができて、良好な着心地が得られる。
【００１１】
請求項３の発明のパンツは、請求項１に記載のパンツにおいて、前身頃が、左右一対の前身頃片で形成され、前身頃の中央部の下端と、後身頃の中央部の下端との間に股部片を備え、前身頃の中央部の下端と股部の前端、および当て布の下端とが股部片の左右方向中央部に入り込んで縫合されていることを特徴としている。
【００１２】
請求項３のパンツによれば、前身頃が左右一対の前身頃片で形成され、前身頃の中央の下端と後身頃の中央部の下端との間に股部片を備えた比較的簡単でありながら立体化と必要に応じ前立て部を利用した排尿用開口部の保形性とにより有利な構成のパンツにおいて、尿漏れ対策を股部片中央部に食い込む広域にて行いつつ、前身頃の周辺部が嵩張る不都合を防止でき、また、熱のこもりや蒸れを防ぐことができて、良好な着心地が得られる。
【００１３】
請求項４の発明のパンツは、請求項１〜３のいずれか１つのパンツにおいて、当て布が左右方向の中央部に局部に対応して外側へ膨らませる立体縫合部を有し、前身頃が左右方向の中央部に局部に対応して外側に膨らませる立体縫合部を有していることを特徴としている。
【００１４】
請求項４のパンツによれば、当て布は、立体縫合部によって局部を無理なくしかし不用意にはみ出さないように包み込んで保持する立体形状が得られるし、前身頃は、立体縫合部によって、局部を包み込むように保持している立体的な当て布に対し、その外側に外観を損なわない程度で、通気性を損なわず、かつ、当て布からの尿の染み移りが生じないだけの間隔および広がりのある空間を、外側衣類の装着によっても崩れにくい保形性を有して形成することができる。
【００１５】
請求項５の発明のパンツは、請求項１〜４のいずれか１つのパンツにおいて、前身頃および後身頃は、布帛地よりなり、当て布は、天竺織、フライス、スムースなどの編み生地よりなることを特徴としている。
【００１６】
請求項５のパンツによれば、前身頃が布帛地であることにより、立体縫合部による立体形状の保形性が特別な負荷条件なしに高まるし、当て布が編み生地であることにより、局部に対する包み込みが柔軟でより無理なく対応できるし、排尿作業時の押し退けに順応しやすくなるので排尿作業に便利になる。
【００１７】
請求項６の発明のパンツは、請求項１に記載のパンツにおいて、当て布が、縦方向の伸縮性よりも横方向の伸縮性が大きい生地を用いて形成されていることを特徴としている。
【００１８】
請求項６のパンツによれば、当て布の縦方向の伸縮性が比較的小さいので、当て布と前身頃との間の空間を確保しやすく、かつ、当て布の横方向の伸縮性が比較的大きいので、着用者の男性器を、過度に締め付けないで、しかも、上下方向の所定位置に支持しやすく、また、排尿用開口を通じた排尿作業に順応しやすく排尿作業がさらに容易になる。
【００１９】
請求項７の発明のパンツは、請求項１に記載のパンツにおいて、当て布が、抗菌、消臭、吸水、速乾処理の少なくとも１つが処理を施されていることを特徴としている。
【００２０】
請求項７のパンツによれば、尿漏れが生じても、当て布による吸収性、当て布が吸収した尿の速乾、消臭、尿による雑菌の繁殖の少なくとも１つを抑制することができる。
【００２１】
請求項８の発明のパンツは、請求項１に記載のパンツにおいて、裾口の縁が、幅方向の中央から両側に向かって上方に傾斜する最大腰部までの切れ上り形状となっていることを特徴としている。
【００２２】
請求項８のパンツによれば、裾口の縁の最大腰部までの切れ上り形状による前身頃下部での当て布程度に幅狭部とすることができるのを利用して排尿用開口を設けずに排尿作業ができる。また、介護者が着用者にパンツを着用させるときに、着用者の足を容易に裾口に通すことができる。したがって、介護者への介護負担を軽減できる介護用のパンツが得られる。
【発明の効果】
【００２３】
本発明のパンツによれば、前身頃に上下端を縫合され、これら上下方向部間の長さが前身頃片のそれよりも短い当て布を設けるという簡易な構成により、当て布に対し前身頃が外側に浮く空間が形成されるようにして、少量の尿漏れが生じても当て布で受け止めて尿が前身頃に染み移るのを防止でき、また、当て布に浸みた尿の乾燥を促すことができるので、尿の湿りに起因する濡れ感触や臭いを抑制できる。こうして、尿吸収体を用いずに尿漏れ対策を行うことができるので、前身頃の周辺部が嵩張る不都合を防止でき、また、当て布と前身頃の間の空間により通気性を高めて、熱のこもりや蒸れを防ぐことができるし、洗濯するだけで繰り返し良好な着心地が得られる。さらに、当て布は左右の幅が小さくてよく、排尿用開口を通じるなどした排尿作業を特に邪魔する不便はない。
【発明を実施するための最良の形態】
【００２４】
以下、本発明の実施形態を、添付の図面を参照しながら詳細に説明する。
【００２５】
図１は、本発明の第１実施形態のパンツを示す正面図であり、図２は、パンツの着用時の断面図である。
【００２６】
本実施形態のパンツ１は、左右両側で互いに縫合される前身頃２及び後身頃３と、前身頃２及び後身頃３の上端に環状に縫い付けられたゴムバンド４と、前身頃２の内側に上端縁と下端縁とが縫合されて取り付けられた当て布５とで大略構成されている。
【００２７】
前身頃２は、右前身頃片２１と左前身頃片２２とで形成され、互いに近い側の端縁部が重なり合う打ち合わせ部２１ａ，２２ａとなっている。打ち合わせ部２１ａ，２２ａの間に排尿用開口２３が形成され、この排尿用開口２３は、右前身頃片２１の打ち合わせ部２１ａに取り付けられたボタン２４を、左前身頃片２２の打ち合わせ部２２ａに形成されたボタン孔に掛けて、閉じ状態を保持するようになっている。しかし、排尿用開口２３は必須ではない。
【００２８】
後身頃３は１枚の布で形成され、右側縁が右前身頃片２１の右側縁に縫合されると共に、左側縁が左前身頃片２２の左側縁に縫合されている。後身頃３の中央部の下端縁は、前身頃２の中央の下端縁、すなわち、右前身頃片２１の左側部分の下端縁及び左前身頃片２２の右側部分の下端縁と縫合されている。この後身頃３の中央部の下端縁と前身頃２の中央の下端縁との縫合部Ｓ１に、当て布５の下端縁が縫合されている。後身頃３の両側部の下端縁は、右前身頃片２１の下端縁と左前身頃片２２の下端縁と共に、夫々右側裾口６１と左側裾口６２を形成している。
【００２９】
右側裾口６１と左側裾口６２の縁にはパイピングが施されている。右側裾口６１と左側裾口６２は、図１に示すように、幅方向の中央から両側に向かって上方に傾斜する切れ上り形状に形成されている。詳しくは、右側裾口６１は、右前身頃片２１の左側部の下端と後身頃３の中央部の下端との縫合位置から、右前身頃片２１の右側部の下端と後身頃３の右側部の下端との縫合位置に向かって、上方に切れ上がる形状となっている。一方、左側裾口６２は、左前身頃片２２の右側部の下端と後身頃３の中央部の下端との縫合位置から、左前身頃片２１の左側部の下端と後身頃３の左側部の下端との縫合位置に向かって、上方に切れ上がる形状となっている。
【００３０】
ゴムバンド４は、着用者の腰回りを弾性的に締め付けるように形成され、前身頃２の上端縁と後身頃３の上端縁に沿って縫い付けられている。前身頃２の上端縁の中央部とゴムバンド４との縫合部Ｓ２に、当て布５の上端縁が縫合されている。なお、ゴムバンド４に替えて、ゴムの織り込み、縫込み、通しにより伸縮度を高めた布バンドでもよい。
【００３１】
ここで、当て布５は、前記前身頃との縫合構造において、上下の縫合部Ｓ２、Ｓ１間の長さが、前身頃２のそれよりも短くされ、パンツ１を畳んだ状態の前身頃２の幅の約半分の上端幅を有する一方、前身頃２と後身頃３との下端の縫合部と略同じ幅の下端幅を有する。また、図示例の当て布５は、縦方向（上下方向）の寸法が、前身頃２の縦方向の寸法、すなわち、前身頃２の右前身頃片２１の打ち合わせ部２１ａと左前身頃片２２の打ち合わせ部２２ａとの重複部分を通る寸法よりも小さく形成されている。このような長さ関係により、上下の縫合部Ｓ２、Ｓ１間で前身頃２に当て布５からの外側への浮代を与え、着用されたときの双方の立体化で当て布５が上下の縫合部Ｓ２、Ｓ１間で局部に沿おうとするのに対し、前身頃２は前記浮代分当て布５から外側に浮いて双方間に図２に示すような空間７を形成するようになっている。
【００３２】
上記当て布５は、綿などの天竺織、フライス、スムースなどの編み生地で形成されており、図示例では当て布５は、天竺織で縦方向の伸縮性よりも横方向の伸縮性が大きくなるようにパターニングされている。一方、前身頃２及び後身頃３は、綿などの布帛で形成されている。なお、当て布５は、横方向の伸縮性をある程度確保できればよく、綿の天竺織り生地以外に、綿の編物生地や合成繊維の編物生地等を用いてもよい。また、前身頃２及び後身頃３は、当て布５よりも伸縮性が小さい生地であれば、その材質は綿に限られない。
【００３３】
また、上記当て布５には抗菌剤が添加されている。これにより、当て布５に尿が浸透しても菌類の繁殖が抑制され、臭いの発生を抑制することができる。抗菌剤としては、ニーム油脂成分、ナリジクス酸、オキソリニック酸、竹酢、アシルアミノ酸銀塩及びアシルアミノ酸銅塩の少なくとも１つを含有するもの等を用いることができる。
【００３４】
上記構成のパンツ１は、着用者に着用されると、当て布５が着用者の下腹部から股間にわたって密着して男性器を覆う。特に、当て布５の横方向の伸縮性が縦方向の伸縮性よりも大きく形成されているので、男性器は過度に締め付けられることなく自然な高さ位置で違和感なく包み込まれ左右方向の所定位置に安定支持される。従って、不用意に左右に外れることはない。しかし、当て布５は前身頃の左右の中央部に当てがうだけであるため、排尿用開口２３を通じるなどしての排尿作業を特に損なうことはない。また、当て布５の着用者から見て前側の前身頃２は、上下の縫合部Ｓ２、Ｓ１間で縦方向の寸法が当て布５の縦方向の寸法よりも大きく形成されているので、当て布５と前身頃２との間には空間７が形成される。ここで、例えば着用者の尿意の極度の我慢等により少量の尿漏れが生じると、尿が当て布５に受け止められて浸みる。しかしながら、当て布５と前身頃２との間には空間７が形成されているので、当て布５に浸みた尿は前身頃３に染み移るのを防止できる。また、当て布５と前身頃２との間の空間７によって、当て布５に浸みた尿の乾燥が促されるので、尿の湿りに起因する濡れ感触や臭いが抑制される。こうして、従来のような尿吸収体を用いることなく、当て布５と前身頃２の間に空間７を形成することで尿漏れ対策を行うので、従来のように尿吸収体に表裏クロッチ布が密着して前身頃の周辺部が嵩張る不都合を防止できる。また、当て布５と前身頃２の間の空間７により通気性が高まるので、夏場においても熱のこもりや蒸れを防ぐことができるし、洗濯するだけで繰り返し、良好な着心地が得られる。要するに、前身頃２、後身頃３が布帛であることにより、立体縫合部による立体形状の保形性が特別な負荷条件なしに高まるし、当て布が編み生地であることにより、局部に対する包み込みが柔軟でより無理なく対応できるし、排尿作業時の押し退けに順応しやすくなるので排尿作業に便利になる。
【００３５】
また、本実施形態のパンツ１は、裾口６１，６２の縁が実線で示し、仮想線で示すように最大腰部未満の切れ上がり形状であるので、爽快感がよいうえ、着用者が介護を受ける場合、介護者は着用者の足を容易に裾口６１，６２に通すことができる。したがって、このパンツ１は、介護不要な着用者の日常的な用途の他に、介護者の負担を軽減できる介護用パンツとして用いることもできる。また、前身頃２の特に下半部の幅は当て布５の幅とほぼ等しいかそれに近い幅となるので、図５に示すように排尿用開口を省略した構成としても、切れ上がり形状による前身頃２下部での当て布程度に幅狭部とすることができるのを利用して排尿作業ができる。なお、図５に示す例では、前身頃２および当て布５共に左右片の中央縫い合わせ部３１、３２を立体縫合部としてある。当て布５は、立体縫合部３２によって局部を無理なくしかし不用意にはみ出さないように包み込んで保持する立体形状が得られるし、前身頃２は、立体縫合部３１によって、局部を包み込むように保持している立体的な当て布５に対し、その外側に外観を損なわない程度で、通気性を損なわず、かつ、当て布からの尿の染み移りが生じないだけの間隔および広がりのある空間を、外側衣類の装着によっても崩れにくい保形性を有して形成することができる。なお、立体縫合部３１、３２は、図３に示す例の立体縫合部３１などによる膨出部８５のような立体縫合構造を採用することもでき、その縫合形態は特に問わない。
【００３６】
図３は、本発明の第２実施形態のパンツを示す平面図であり、図４は本実施形態のパンツの着用時の断面図である。本実施形態において、第１実施形態と同じ構成部分には同一の参照番号を付して、詳細な説明を省略する。
【００３７】
第２実施形態のパンツ１０は、前身頃１２が、左右一対の前身頃片２１，２２と、右前身頃片２１と左前身頃片２２との間の前立て部８とで形成されている点と、前身頃１２と後身頃３との間に股部片９が設けられている点、前身頃２の中央部の下端と股部片９の前端、および当て布５の下端とが股部片９の左右方向中央部に入り込んで縫合されている点が、第１実施形態のパンツ１と大きく異なる点である。これによって、前身頃２が左右一対の前身頃片２１、２２と前立て部８とで形成され、前身頃２の中央の下端と後身頃３の中央部の下端との間に股部片９を備えた比較的簡単でありながら立体化と排尿用開口２３部の保形性とに、より有利な構成のパンツにおいて、尿漏れ対策を股部片中央部に食い込む広域にて行いつつ、前身頃２の周辺部が嵩張る不都合を防止でき、また、熱のこもりや蒸れを防ぐことができて、良好な着心地が得られる。
【００３８】
前立て部８は、右前身頃片２１の左端縁に縫合された右前立て部８１と、左前身頃片２２の右端縁に縫合された左前立て部８２とで形成されている。右前立て部８１と左前立て部８２とは互いに重なり合った状態で上下各部が互いに縫合されており、重なり合う部分の縫合されていない部分が夫々打ち合わせ部８１ａ，８２ａとなって、互いの間に排尿用開口８３を形成している。排尿用開口８３は、右前立て部８１の打ち合わせ部８１ａに取り付けられたボタン８４を、左前立て部８２の打ち合わせ部８２ａに形成されたボタン孔に掛けて、閉じ状態が保持される。前立て部８の排尿用開口８３の下部には、男性器に対応する膨出部８５が形成されている。膨出部８５は、右前立て部８１と左前立て部８２が、それらの中央部縫合、右前身頃片２１、左身頃片２２との立体縫合部３１と、これら縫合された部分にギャザー８４が設けられる立体縫合部にて、カップ状に前側に膨出するように形成されている。なお、ギャザー８４以外にタックやダーツによって膨出部８５が形成されてもよい。
【００３９】
股部片９は、その前端縁が左右方向中央部に前身頃２の入り込み部を有して、右前身頃片２１の左側部の下端縁と、前立て部８の下端縁と、左前身頃片２２の右側部の下端縁とに縫合されている。股部９の後端縁は、後身頃３の下端縁に縫合されて縫合部Ｓ１１が形成され、この縫合部Ｓ１１に当て布５の下端縁が縫合されている。
【００４０】
ゴムバンド４は、前身頃２と後身頃３の上端部の内側に沿って縫い付けられている。このゴムバンド４と前身頃２との縫合部の下端縁Ｓ１２に、当て布５の上端縁が縫合されている。
【００４１】
上記構成のパンツ１０が着用者に着用されると、当て布５が着用者の下腹部から股間にわたって密着して男性器を覆う。ここで、前身頃２の前立て部８及び股部９に亘る部分は、縦方向の寸法が当て布の縦方向の寸法よりも大きく形成されているので、前立て部８及び股部９と当て布５との間に空間７が形成される。特に、前立て部８の膨出部８５と当て布５との間には効果的に空間７が形成される。したがって、着用者に少量の尿漏れが生じて尿が当て布５に浸みても、空間７の存在により、当て布５の尿が前身頃３に染み移るのを防止できる。また、空間７によって、当て布５に浸みた尿の乾燥が促されるので、尿の湿りに起因する濡れ感触や臭いが抑制される。こうして、従来のような尿吸収体を用いることなく尿漏れ対策を行うので、従来のように尿吸収体に表裏クロッチ布が密着して前身頃の周辺部が嵩張る不都合を防止できる。また、空間７により通気性が高まるので、夏場においても熱のこもりや蒸れを防ぐことができるし、洗濯するだけで繰り返し良好な着心地が得られる。
【図面の簡単な説明】
【００４２】
【図１】第１実施形態のパンツを示す正面図である。
【図２】第１実施形態のパンツの着用時の断面図である。
【図３】第２実施形態のパンツを示す正面図である。
【図４】第２実施形態のパンツの着用時の断面図である。
【図５】第３実施形態のパンツを示す正面図である。
【符号の説明】
【００４３】
１  パンツ
２  前身頃
３  後身頃
４  ゴムバンド
５  当て布
２１  右前身頃片
２２  左前身頃片
２３  排尿用開口
３１、３２  立体縫合部
６１  右側裾口
６２  左側裾口
【図１】
2010018921.tif 000003
【図２】
2010018921.tif 000004
【図３】
2010018921.tif 000005
【図４】
2010018921.tif 000006
【図５】
2010018921.tif 000007
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
布帛地よりなる前身頃の左右の中央部の内側に上端と下端が縫合されて、これら上下の縫合部間の長さが、前身頃のそれよりも短く保形性のよい前身頃に外側に浮く浮代を与えて自身との間に空間を作らせる当て布を備えることを特徴とするパンツ。
【請求項２】
請求項１に記載のパンツにおいて、
前身頃が左右一対の前身頃片で形成され、当て布の下端が、一対の前身頃片の互いに接続される部分の下端に縫合されていることを特徴とするパンツ。
【請求項３】
請求項１に記載のパンツにおいて、
前身頃が左右一対の前身頃片で形成され、
前身頃の中央部の下端と、後身頃の中央部の下端との間に股部片を備え、
前身頃の中央部の下端と股部の前端、および当て布の下端とが股部片の左右方向中央部に入り込んで縫合されていることを特徴とするパンツ。
【請求項４】
請求項１〜３のいずれか１項に記載のパンツにおいて、
当て布が左右方向の中央部に局部に対応して外側へ膨らませる立体縫合部を有し、前身頃が左右方向の中央部に局部に対応して外側に膨らませる立体縫合部を有していることを特徴とするパンツ。
【請求項５】
請求項１〜４のいずれか１項に記載のパンツにおいて、
後身頃は、前身頃と共に布帛地よりなり、当て布は、天竺織、フライス、スムースなどの編み生地よりなることを特徴とするパンツ。
【請求項６】
請求項１〜５のいずれか１項に記載のパンツにおいて、
当て布が、縦方向の伸縮性よりも横方向の伸縮性が大きい生地を用いて形成されていることを特徴とするパンツ。
【請求項７】
請求項１に記載のパンツにおいて、
当て布が、抗菌、消臭、吸水、速乾処理の少なくとも１つが施されていることを特徴とするパンツ。
【請求項８】
請求項１又は２に記載のパンツにおいて、
裾口の縁が、幅方向の中央から両側に向かって上方に傾斜する最大腰部までの切れ上り形状となっていることを特徴とするパンツ。
【手続補正２】
【補正対象書類名】明細書
【補正対象項目名】０００６
【補正方法】変更
【補正の内容】
【０００６】
上記課題を解決するため、請求項１の発明のパンツは、布帛地よりなる前身頃の左右の中央部の内側に上端と下端が縫合されて、これら上下の縫合部間の長さが、前身頃のそれよりも短く保形性のよい前身頃に外側に浮く浮代を与えて自身との間に空間を作らせる当て布を備えることを特徴としている。
【手続補正３】
【補正対象書類名】明細書
【補正対象項目名】０００７
【補正方法】変更
【補正の内容】
【０００７】
上記構成によれば、パンツの前身頃の内側に上下端を縫合された当て布が、この上下の縫合部間で前身頃のそれよりも短いことにより、上下の縫合部間で前身頃に当て布からの外側への浮代を与えて、着用されたときの双方の立体化で当て布が上下の縫合部間で局部に沿おうとするのに対し、布帛地からなり保形性のよい前身頃は前記浮代分当て布から外側に浮いて双方間に空間を形成する。したがって、少量の尿漏れが生じても当て布で受け止めてその受け止めた尿が前身頃に染み移るのを防止できる。また、当て布に浸みた尿の早期乾燥を促すことができる。さらに、当て布は前身頃の左右の中央部に当てがうだけであるため、前身頃の左右中央部に設けることのある排尿用開口を通じての排尿作業を特に損なうことはないし、裾口の縁が、幅方向の中央から両側に向かって上方に傾斜する最大腰部までの切れ上り形状とするときは、切れ上がり形状による前身頃下部での当て布程度に幅狭部とすることができるのを利用して排尿作業ができる。このように、従来のような尿吸収体を用いずに、当て布と前身頃の間に空間を形成することで尿漏れ対策を行うので、前身頃の周辺部が嵩張る不都合を防止できる。また、当て布と前身頃の間の空間により通気性が高まるので、夏場においても熱のこもりや蒸れを防ぐことができ、その結果、良好な着心地が得られる。
【手続補正４】
【補正対象書類名】明細書
【補正対象項目名】００１５
【補正方法】変更
【補正の内容】
【００１５】
請求項５の発明のパンツは、請求項１〜４のいずれか１つのパンツにおいて、後身頃は、前身頃と共に布帛地よりなり、当て布は、天竺織、フライス、スムースなどの編み生地よりなることを特徴としている。
【手続補正５】
【補正対象書類名】明細書
【補正対象項目名】００２３
【補正方法】変更
【補正の内容】
【００２３】
本発明のパンツによれば、前身頃に上下端を縫合され、これら上下方向部間の長さが前身頃片のそれよりも短い当て布を設けるという簡易な構成により、当て布に対し保形性のよい前身頃が外側に浮く空間が形成されるようにして、少量の尿漏れが生じても当て布で受け止めて尿が前身頃に染み移るのを防止でき、また、当て布に浸みた尿の乾燥を促すことができるので、尿の湿りに起因する濡れ感触や臭いを抑制できる。こうして、尿吸収体を用いずに尿漏れ対策を行うことができるので、前身頃の周辺部が嵩張る不都合を防止でき、また、当て布と前身頃の間の空間により通気性を高めて、熱のこもりや蒸れを防ぐことができるし、洗濯するだけで繰り返し良好な着心地が得られる。さらに、当て布は左右の幅が小さくてよく、排尿用開口を通じるなどした排尿作業を特に邪魔する不便はない。
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
それぞれが布帛地よりなり、前身頃とこれに直接または股部片を介して相互を縫合して繋がった後身頃とを備えた男性用パンツにおいて、
天竺織、フライス、スムースなどの伸縮性を有した編み生地よりなり、前身頃の左右の中央部の内側で、上端と下端とが前身頃の上縁と後身頃との直接又は股部片を介した縫合部とに縫合され、これら上下の縫合部間の長さが前身頃のそれよりも短く男性器を支持し、前身頃に外側に浮く浮代を与えて自身との間に空間を作らせる当て布を備えることを特徴とする男性用パンツ。
【請求項２】
請求項１に記載の男性用パンツにおいて、
当て布は、縦方向よりも横方向の伸縮性が大きいことを特徴とする男性用パンツ。
【請求項３】
請求項１又は２に記載の男性用パンツにおいて、
裾口の縁が、幅方向の中央から両側に向かって上方に傾斜する最大腰部までの切れ上り形状となっていることを特徴とする男性用パンツ。
【手続補正３】
【補正対象書類名】明細書
【補正対象項目名】０００１
【補正方法】変更
【補正の内容】
【０００１】
この発明は男性用パンツに関し、より具体的には尿漏れ対策を施した男性用パンツに関する。
【手続補正４】
【補正対象書類名】明細書
【補正対象項目名】０００５
【補正方法】変更
【補正の内容】
【０００５】
そこで、本発明の課題は、尿漏れ対策を施しつつ、前身頃の嵩張りを少なくでき、また、通気性を向上できて着心地を改善できる男性用パンツを提供することにある。
【手続補正５】
【補正対象書類名】明細書
【補正対象項目名】０００６
【補正方法】変更
【補正の内容】
【０００６】
上記課題を解決するため、本発明の男性用パンツは、それぞれが布帛地よりなり、前身頃とこれに直接または股部片を介して相互を縫合して繋がった後身頃とを備えたパンツにおいて、天竺織、フライス、スムースなどの伸縮性を有した編み生地よりなり、前身頃の左右の中央部の内側で、上端と下端とが前身頃の上縁と後身頃との直接又は股部片を介した縫合部とに縫合され、これら上下の縫合部間の長さが前身頃のそれよりも短く男性器を支持し、前身頃に外側に浮く浮代を与えて自身との間に空間を作らせる当て布を備えることを特徴としている。
【手続補正６】
【補正対象書類名】明細書
【補正対象項目名】０００７
【補正方法】変更
【補正の内容】
【０００７】
上記構成によれば、それぞれが布帛地よりなり、前身頃とこれに直接または股部片を介して相互を縫合して繋がった後身頃とを備えた男性用パンツにおいて、パンツの前身頃の内側で、上端と下端とが前身頃の上縁と後身頃との直接又は股部片を介した縫合部とに縫合された当て布が、この上下の縫合部間で前身頃のそれよりも短いことにより、上下の縫合部間で前身頃に当て布からの外側への浮代を与えて、着用されたときの双方の立体化で当て布が上下の縫合部間で伸縮性により局部に沿って上下方向および左右方向に支持しようとするのに対し、布帛地からなり保形性のよい前身頃は、前記浮代分当て布から外側に浮いて双方間に空間を形成する。したがって、少量の尿漏れが生じても当て布で受け止めてその受け止めた尿が前身頃に染み移るのを防止できる。また、当て布に浸みた尿の早期乾燥を促すことができる。さらに、当て布は前身頃の左右の中央部に当てがうだけであるため、前身頃の左右中央部に設けることのある排尿用開口を通じての排尿作業を特に損なうことはないし、裾口の縁が、幅方向の中央から両側に向かって上方に傾斜する最大腰部までの切れ上り形状とするときは、切れ上がり形状による前身頃下部での当て布程度に幅狭部とすることができるのを利用して排尿作業ができる。このように、従来のような尿吸収体を用いずに、当て布と前身頃の間に空間を形成することで尿漏れ対策を行うので、前身頃の周辺部が嵩張る不都合を防止できる。また、当て布と前身頃の間の空間により通気性が高まるので、夏場においても熱のこもりや蒸れを防ぐことができ、その結果、良好な着心地が得られる。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
上記において、さらに、当て布が、縦方向の伸縮性よりも横方向の伸縮性が大きい生地を用いて形成されていることを特徴としている。
【手続補正１６】
【補正対象書類名】明細書
【補正対象項目名】００１８
【補正方法】変更
【補正の内容】
【００１８】
上記構成によれば、当て布の縦方向の伸縮性が比較的小さいので、当て布と前身頃との間の空間を確保しやすく、かつ、当て布の横方向の伸縮性が比較的大きいので、着用者の男性器を、過度に締め付けないで、しかも、上下方向の所定位置に支持しやすく、また、排尿用開口を通じた排尿作業に順応しやすく排尿作業がさらに容易になる。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
上記において、さらに、裾口の縁が、幅方向の中央から両側に向かって上方に傾斜する最大腰部までの切れ上り形状となっていることを特徴としている。
【手続補正２０】
【補正対象書類名】明細書
【補正対象項目名】００２２
【補正方法】変更
【補正の内容】
【００２２】
上記構成によれば、裾口の縁の最大腰部までの切れ上り形状による前身頃下部での当て布程度に幅狭部とすることができるのを利用して排尿用開口を設けずに排尿作業ができる。また、介護者が着用者にパンツを着用させるときに、着用者の足を容易に裾口に通すことができる。したがって、介護者への介護負担を軽減できる介護用のパンツが得られる。
【手続補正２１】
【補正対象書類名】明細書
【補正対象項目名】００２３
【補正方法】変更
【補正の内容】
【００２３】
それぞれが布帛地よりなり、前身頃とこれに直接または股部片を介して相互を縫合して繋がった後身頃とを備えた男性用パンツにおいて、パンツの前身頃の内側で、上端と下端とが前身頃の上縁と後身頃との直接または股部片を介した縫合部とに縫合された当て布が、この上下の縫合部間で前身頃のそれよりも短いことにより、上下の縫合部間で前身頃に当て布からの外側への浮代を与えて、着用されたときの双方の立体化で当て布が上下の縫合部間で伸縮性により局部に沿って上下方向および左右方向に支持しようとするのに対し、布帛地からなり保形性のよい前身頃は、前記浮代分当て布から外側に浮いて双方間に空間を形成する。したがって、少量の尿漏れが生じても当て布で受け止めてその受け止めた尿が前身頃に染み移るのを防止できる。また、当て布に浸みた尿の早期乾燥を促すことができる。さらに、当て布は前身頃の左右の中央部に当てがうだけであるため、前身頃の左右中央部に設けることのある排尿用開口を通じての排尿作業を特に損なうことはないし、裾口の縁が、幅方向の中央から両側に向かって上方に傾斜する最大腰部までの切れ上り形状とするときは、切れ上がり形状による前身頃下部での当て布程度に幅狭部とすることができるのを利用して排尿作業ができる。このように、従来のような尿吸収体を用いずに、当て布と前身頃の間に空間を形成することで尿漏れ対策を行うので、前身頃の周辺部が嵩張る不都合を防止できる。また、当て布と前身頃の間の空間により通気性が高まるので、夏場においても熱のこもりや蒸れを防ぐことができ、その結果、良好な着心地が得られる。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
それぞれが布帛地よりなり、前身頃とこれに直接または股部片を介して相互を縫合して繋がった後身頃とを備えた男性用パンツにおいて、
天竺織、フライス、スムースなどの伸縮性を有した編み生地よりなり、前身頃の左右の中央部の内側で、上端が前身頃の上縁と縫合され、下端が前身頃と後身頃との直接の縫合部、又は前身頃と、後身頃に縫合された股部片と、の縫合部に縫合され、これら上下の縫合部間の長さが前身頃のそれよりも短く男性器を支持し、前身頃に外側に浮く浮代を与えて自身との間に空間を作らせる当て布を備えることを特徴とする男性用パンツ。
【請求項２】
請求項１に記載の男性用パンツにおいて、
当て布は、縦方向よりも横方向の伸縮性が大きいことを特徴とする男性用パンツ。
【請求項３】
請求項１又は２に記載の男性用パンツにおいて、
裾口の縁が、幅方向の中央から両側に向かって上方に傾斜する最大腰部までの切れ上り形状となっていることを特徴とする男性用パンツ。
【手続補正２】
【補正対象書類名】明細書
【補正対象項目名】０００６
【補正方法】変更
【補正の内容】
【０００６】
上記課題を解決するため、本発明の男性用パンツは、それぞれが布帛地よりなり、前身頃とこれに直接または股部片を介して相互を縫合して繋がった後身頃とを備えたパンツにおいて、天竺織、フライス、スムースなどの伸縮性を有した編み生地よりなり、前身頃の左右の中央部の内側で、上端が前身頃の上縁と縫合され、下端が前身頃と後身頃との直接の縫合部又は前身頃と後身頃に縫合された股部片との縫合部に縫合され、これら上下の縫合部間の長さが前身頃のそれよりも短く男性器を支持し、前身頃に外側に浮く浮代を与えて自身との間に空間を作らせる当て布を備えることを特徴としている。
【手続補正３】
【補正対象書類名】明細書
【補正対象項目名】０００７
【補正方法】変更
【補正の内容】
【０００７】
上記構成によれば、それぞれが布帛地よりなり、前身頃とこれに直接または股部片を介して相互を縫合して繋がった後身頃とを備えた男性用パンツにおいて、パンツの前身頃の内側で、上端が前身頃の上縁と縫合され、下端が前身頃と後身頃との直接の縫合部、又は前身頃と後身頃に縫合された股部片と、の縫合部に縫合された当て布が、この上下の縫合部間で前身頃のそれよりも短いことにより、上下の縫合部間で前身頃に当て布からの外側への浮代を与えて、着用されたときの双方の立体化で当て布が上下の縫合部間で伸縮性により局部に沿って上下方向および左右方向に支持しようとするのに対し、布帛地からなり保形性のよい前身頃は、前記浮代分当て布から外側に浮いて双方間に空間を形成する。したがって、少量の尿漏れが生じても当て布で受け止めてその受け止めた尿が前身頃に染み移るのを防止できる。また、当て布に浸みた尿の早期乾燥を促すことができる。さらに、当て布は前身頃の左右の中央部に当てがうだけであるため、前身頃の左右中央部に設けることのある排尿用開口を通じての排尿作業を特に損なうことはないし、裾口の縁が、幅方向の中央から両側に向かって上方に傾斜する最大腰部までの切れ上り形状とするときは、切れ上がり形状による前身頃下部での当て布程度に幅狭部とすることができるのを利用して排尿作業ができる。このように、従来のような尿吸収体を用いずに、当て布と前身頃の間に空間を形成することで尿漏れ対策を行うので、前身頃の周辺部が嵩張る不都合を防止できる。また、当て布と前身頃の間の空間により通気性が高まるので、夏場においても熱のこもりや蒸れを防ぐことができ、その結果、良好な着心地が得られる。
【手続補正４】
【補正対象書類名】明細書
【補正対象項目名】００２３
【補正方法】変更
【補正の内容】
【００２３】
それぞれが布帛地よりなり、前身頃とこれに直接または股部片を介して相互を縫合して繋がった後身頃とを備えた男性用パンツにおいて、パンツの前身頃の内側で、上端が前身頃の上縁と縫合され、下端が前身頃と後身頃との直接の縫合部、又は前身頃と、後身頃に縫合された股部片と、の縫合部に縫合された当て布が、この上下の縫合部間で前身頃のそれよりも短いことにより、上下の縫合部間で前身頃に当て布からの外側への浮代を与えて、着用されたときの双方の立体化で当て布が上下の縫合部間で伸縮性により局部に沿って上下方向および左右方向に支持しようとするのに対し、布帛地からなり保形性のよい前身頃は、前記浮代分当て布から外側に浮いて双方間に空間を形成する。したがって、少量の尿漏れが生じても当て布で受け止めてその受け止めた尿が前身頃に染み移るのを防止できる。また、当て布に浸みた尿の早期乾燥を促すことができる。さらに、当て布は前身頃の左右の中央部に当てがうだけであるため、前身頃の左右中央部に設けることのある排尿用開口を通じての排尿作業を特に損なうことはないし、裾口の縁が、幅方向の中央から両側に向かって上方に傾斜する最大腰部までの切れ上り形状とするときは、切れ上がり形状による前身頃下部での当て布程度に幅狭部とすることができるのを利用して排尿作業ができる。このように、従来のような尿吸収体を用いずに、当て布と前身頃の間に空間を形成することで尿漏れ対策を行うので、前身頃の周辺部が嵩張る不都合を防止できる。また、当て布と前身頃の間の空間により通気性が高まるので、夏場においても熱のこもりや蒸れを防ぐことができ、その結果、良好な着心地が得られる。